【手続補正書】
【提出日】平成29年2月22日(2017.2.22)
【手続補正１】
【補正対象書類名】明細書
【補正対象項目名】０００６
【補正方法】変更
【補正の内容】
【０００６】
本発明に係る第１の態様は、
所定の送り操作により、複数の画像を所定の基準に基づく配列順で送りながら所定の表示サイズで表示画面に表示する表示手段と、
前記表示手段により表示中の第１画像を、前記所定の送り操作により送られる第２画像に置き換える際に、前記第１画像と第２画像を基に所定の画像処理を行った処理画像を、前記第１画像から前記第２画像へ表示を置き換える途中経過を示すように表示する表示制御手段と、
前記処理画像の数を、前記第１画像から前記第２画像へ１回表示を置き換える前記画像の送り速度又は前記所定の表示サイズに応じて変化させるように、前記所定の画像処理を制御する画像処理制御手段と、
を備えることを特徴とする画像表示装置を提供する。
【手続補正２】
【補正対象書類名】明細書
【補正対象項目名】０００７
【補正方法】変更
【補正の内容】
【０００７】
本発明に係る第２の態様は、
所定の送り操作により、複数の画像を所定の基準に基づく配列順で送りながら所定の表示サイズで表示画面に表示する表示処理と、
前記表示処理により表示中の第１画像を、前記所定の送り操作により送られる第２画像に置き換える際に、前記第１画像と前記第２画像を基に所定の画像処理を行った処理画像を、前記第１画像から前記第２画像へ表示を置き換える途中経過を示すように表示する表示制御処理と、
前記処理画像の数を、前記第１画像から前記第２画像へ１回表示を置き換える前記画像の送り速度又は前記所定の表示サイズに応じて変化させるように、前記所定の画像処理を制御する画像処理制御処理と、
を含むことを特徴とする画像表示方法を提供する。
【手続補正３】
【補正対象書類名】明細書
【補正対象項目名】０００８
【補正方法】変更
【補正の内容】
【０００８】
本発明に係る第３の態様は、
所定の送り操作により、複数の画像を所定の基準に基づく配列順で送りながら所定の表示サイズで表示画面に表示する表示機能と、
前記表示機能により表示中の第１画像を、前記所定の送り操作により送られる第２画像に置き換える際に、前記第１画像と前記第２画像を基に所定の画像処理を行った処理画像を、前記第１画像から前記第２画像へ表示を置き換える途中経過を示すように表示する表示制御機能と、
前記処理画像の数を、前記第１画像から前記第２画像へ１回表示を置き換える前記画像の送り速度又は前記所定の表示サイズに応じて変化させるように、前記所定の画像処理を制御する画像処理制御機能と、
を実現する画像表示装置のプログラムを提供する。
【手続補正４】
【補正対象書類名】特許請求の範囲
【補正対象項目名】全文
【補正方法】変更
【補正の内容】
【特許請求の範囲】
【請求項１】
所定の送り操作により、複数の画像を所定の基準に基づく配列順で送りながら所定の表示サイズで表示画面に表示する表示手段と、
前記表示手段により表示中の第１画像を、前記所定の送り操作により送られる第２画像に置き換える際に、前記第１画像と第２画像を基に所定の画像処理を行った処理画像を、前記第１画像から前記第２画像へ表示を置き換える途中経過を示すように表示する表示制御手段と、
前記処理画像の数を、前記第１画像から前記第２画像へ１回表示を置き換える前記画像の送り速度又は前記所定の表示サイズに応じて変化させるように、前記所定の画像処理を制御する画像処理制御手段と、
を備えることを特徴とする画像表示装置。
【請求項２】
前記画像処理制御手段は、前記第１画像から前記第２画像へ１回表示を置き換える前記画像の送り速度又は前記所定の表示サイズに応じて、前記第１画像と第２画像を基に異なる画像処理を行うように、前記所定の画像処理を制御し、
前記表示制御手段は、異なる画像処理を行った前記処理画像を順に置き換えて表示することを特徴とする請求項１に記載の画像表示装置。
【請求項３】
前記所定の画像処理は、前記第１画像の一部と前記第２画像の一部とを、前記所定の表示サイズに合成して前記処理画像を生成する処理であることを特徴とする請求項１又は２に記載の画像表示装置。
【請求項４】
前記第１画像の一部は前記画像の送り方向の逆側であり、前記第２画像の一部は前記画像の前記送り方向側であることを特徴とする請求項３に記載の画像表示装置。
【請求項５】
前記画像処理制御手段は、前記第１画像の一部となる面積と前記第２画像となる面積の比の変化量を、前記処理画像の数に応じて変化させることを特徴とする請求項３または請求項４に記載の画像表示装置。
【請求項６】
前記画像処理制御手段は、前記画像の送り速度が遅いほど前記処理画像の数を多くすることを特徴とする請求項１から請求項５のいずれか１項に記載の画像表示装置。
【請求項７】
前記画像処理制御手段は、
前記画像の送り速度が所定の速度を超える場合、前記画像処理を行わないことを特徴とする請求項１から請求項６のいずれか１項に記載の画像表示装置。
【請求項８】
前記画像処理制御手段は、前記表示サイズが大きいほど前記処理画像の数を多くすることを特徴とする請求項１から請求項５のいずれか１項に記載の画像表示装置。
【請求項９】
前記画像処理制御手段は、前記複数の画像のうちのいずれか複数のサムネイルを前記表示サイズで前記表示画面に前記所定の基準に基づく配列で表示するとともに、その表示中の前記サムネイルの一を識別表示し、さらに、前記識別表示された前記サムネイルに該当する画像を前記サムネイルと重複しないように前記表示サイズよりも大きいサイズで前記表示画面に表示し、前記画像処理を前記サムネイルに対して行うことを特徴とする請求項１から請求項８のいずれか１項に記載の画像表示装置。
【請求項１０】
前記識別表示は、前記複数配列して表示している前記サムネイルのうち中央の前記サムネイルを他の前記サムネイルより位置をずらして表示するものであることを特徴とする請求項９に記載の画像表示装置。
【請求項１１】
前記配列の基準が２以上であり、送り方向が２次元以上であることを特徴とする請求項１から請求項８のいずれか１項に記載の画像表示装置。
【請求項１２】
所定の送り操作により、複数の画像を所定の基準に基づく配列順で送りながら所定の表示サイズで表示画面に表示する表示処理と、
前記表示処理により表示中の第１画像を、前記所定の送り操作により送られる第２画像に置き換える際に、前記第１画像と前記第２画像を基に所定の画像処理を行った処理画像を、前記第１画像から前記第２画像へ表示を置き換える途中経過を示すように表示する表示制御処理と、
前記処理画像の数を、前記第１画像から前記第２画像へ１回表示を置き換える前記画像の送り速度又は前記所定の表示サイズに応じて変化させるように、前記所定の画像処理を制御する画像処理制御処理と、
を含むことを特徴とする画像表示方法。
【請求項１３】
所定の送り操作により、複数の画像を所定の基準に基づく配列順で送りながら所定の表示サイズで表示画面に表示する表示機能と、
前記表示機能により表示中の第１画像を、前記所定の送り操作により送られる第２画像に置き換える際に、前記第１画像と前記第２画像を基に所定の画像処理を行った処理画像を、前記第１画像から前記第２画像へ表示を置き換える途中経過を示すように表示する表示制御機能と、
前記処理画像の数を、前記第１画像から前記第２画像へ１回表示を置き換える前記画像の送り速度又は前記所定の表示サイズに応じて変化させるように、前記所定の画像処理を制御する画像処理制御機能と、
を実現する画像表示装置のプログラム。